(57)【要約】【課題】  本発明の目的は、各ビットを一目で判別可能であって、迅速かつ容易に、必要とするビットを電動ドライバーに連結することが出来る電動ドライバー装着型ビット保持装置を提供することである。【解決手段】  上記目的は、ビットの装着口を一端に有するシャフトを、回転自在かつ軸方向に対しては係止させた状態で保持するボディに対し、各種ビットが回転自在な状態で装着された複数個の可動自在なアームを、シャフト軸を中心として円環を描くように配置することにより達成される。【選択図】図１
2009291931.tif 000002
【特許請求の範囲】
【請求項１】
主に手持ち型電動ドライバー等で使用するビットの装着口を一端に有するシャフトを、回転自在かつ軸方向に対しては係止させた状態で保持するボディに対し、各種ビットが回転自在な状態で装着された複数個のアームがシャフト軸を中心として円環を描くように配置され、アームを操作することにより、各々のアームに装着されたビットをシャフトの装着口に装着可能としたことを特徴とするビット保持装置。
【請求項２】
上記シャフトのビット装着口は、ビットを差し込むだけで保持が可能な構成であり、シャフト側面には、軸方向へ移動操作する方式のビット保持解除レバーを有することを特徴とする請求項１記載のビット保持装置。
【請求項３】
上記ビット保持解除レバーは、弾性体による付勢力により、操作後は一定の位置に復帰することを特徴とする請求項１、２記載のビット保持装置。
【請求項４】
上記ビット保持解除レバーに当接し、かつ外部からの操作によって上記シャフト軸に沿って移動させる事が可能なスライダーを有することを特徴とする請求項１〜３記載のビット保持装置。
【請求項５】
上記ボディに、本発明品による構成部以外の他箇所に対し当接させるためのベースを設けたことを特徴とする請求項１記載のビット保持装置。
【請求項６】
上記ベースが複数部品により構成され、各々が係合しながら分離しない状態で一定範囲内において移動可能であることを特徴とする請求項１、５記載のビット保持装置。
【請求項７】
上記ベースを構成する部品間に弾性体が含まれており、各部品同士を近づける方向に押圧した場合には弾性体の作用により反発力が発生することを特徴とする請求項１、５、６記載のビット保持装置。
【発明の詳細な説明】
【技術分野】
【０００１】  本発明は主に手持ち型電動ドライバー等で使用するビットの保持装置に関するものである。
【背景技術】
【０００２】  図８に示すように、建築現場等で使用される手持ち型電動ドライバー１６は、その用途に応じて先端に各種ビット５を装着して作業を行なう。【０００３】  ビット５は図８に示した通常のネジを締結する＋型ビットの他にも様々な種類が存在する。
例えばスロットネジ用の−型ビット、六角穴付ボルト用の六角型ビット、更には材料に穴を開けるためのドリルビットなど、その種類は様々である。【０００４】  上述した電動ドライバー１６の場合、ビット５の交換は、スリーブ２３を回転し内部のチャック１７を開いてビット５を取り外し、必要とする別のビットに取り替えた後、再びスリーブ２３を回転してチャック１７を締めるという手順が一般的である。
しかし実際の作業現場においてはビット５の交換を行なうための作業台などは無い場合が多く、従いビット５の交換は必然的に、片手で電動ドライバー１６を持ちながら、もう片方の手でビット５を取り外し、一旦それを別の場所に収納し、その後必要とする別のビットを取り出し、再び装着を行なうという面倒な手順を踏むこととなる。【０００５】  また上記したビット交換の場面においては、ビットの保管場所として作業者の衣服に付いたポケットを利用することが多いが、上述した多様なビットを一同にポケットに収納した場合、目的とするビットを探り出すのは非常に困難である。【０００６】  かように１台の電動ドライバーを用いて様々な種類のビットを使用しようとした場合には交換作業が非常に煩わしく感じられるものであり、改善が望まれる状況である。【０００７】  上記した問題点を解決すべく、例えば実用新案第２５９５５４８号公報や特開２０００−１７６８４８号公報では、電動ドライバー本体に交換用ビットを装着する実施例を紹介している。
これらの実施例において装着箇所を増やし、各種ビットを電動ドライバー本体上に装着しておけば、必要とするビットを一目で認識できるため、上述したようにポケットの中を探る等の手間を排することは可能になる。しかし実際の作業時には、チャックから外したビットを持ちながら、同じ手で電動ドライバー本体上に装着されたビットと交換する必要があるため、かえって交換がやりづらいと感じる可能性がある。【０００８】  一方で特開平８−３２３６５２号公報では、各種ビットを整然と収納可能なホルダを作業者のベルト等に引っ掛ける方法を提案しているが、基本的な原理は上述した実施例と変わらず、ビット交換時の手間が改善されるものではない。
【特許文献１】  実用新案第２５９５５４８号公報
【特許文献２】  特開２０００−１７６８４８号公報
【特許文献３】  特開平８−３２３６５２号公報
【発明の開示】
【発明が解決しようとする課題】
【０００９】  これまで述べたように、１台の電動ドライバーを用いて様々な種類のビットを使用しようとした場合には、ビットの交換作業が非常に煩わしく感じられるものであり、改善が望まれる状況である。
本発明の目的は、各ビットを一目で判別可能であって、迅速かつ容易に、必要とするビットを電動ドライバーに連結することが出来る電動ドライバー装着型ビット保持装置を提供することである。
【課題を解決するための手段】
【００１０】  上記目的は、ビットの装着口を一端に有するシャフトを、回転自在かつ軸方向に対しては係止させた状態で保持するボディに対し、各種ビットが回転自在な状態で装着された複数個の可動自在なアームを、シャフト軸を中心として円環を描くように配置することにより達成される。
【発明の効果】
【００１１】  本発明によるビット保持装置を電動ドライバーに装着することにより、各種ビットを用途に応じて迷うことなく迅速に交換することが可能となる。
【発明を実施するための最良の形態】
【００１２】  はじめに本発明によるビット保持装置の基本構成について説明する。
本発明によるビット保持装置は、大きくは図１に示すようにシャフト１を保持するボディ２と、シャフト軸を中心として円環を描くようにボディ２上に配置されたアーム３により構成されている。【００１３】  シャフト１はボディ２に対し回転自在であるが、軸方向の動きについてはボディ２内部で拘束されている。またその一端には、図２に示すようにビット装着口４が設けられており、六角形軸のビット５を差し込むと、シャフト１内部でビット５の溝Ａ６に対してロックがかかる構造となっており、回転方向・軸方向ともにビット５がシャフト１に対して保持されることになる。同時にシャフト１側面には軸方向に移動可能なレバー７が設けられており、これを操作することによりビット５に対するロックが解除される構造となっている。レバー７はシャフト１内部に組み込まれた図示しないスプリングの作用により、常に一定の位置に復帰する構造となっている。
このロック機構については過去に多くの実施例が考案済みであり、広く公知となっているものであるため、ここでは詳細な説明は省略する。【００１４】  シャフト１にはシャフト軸方向に沿って移動可能なスライダー８が挿通されており、スライダー下端面９はレバー７に当接している。スライダー８の上方からはフック１０がかけられ、ボディ２からスライダー８が抜け落ちるのを防止している。【００１５】  各アーム３の先端部には、各種ビットが回転自在な状態で保持されている。同時に図３に示すようにストッパ１１がビット５上に設けられた溝Ｂ１２にかかるようにアーム３に対し装着されており、ビット５が脱落するのを防止している。【００１６】  ボディ２にはアーム３収納用のスロット１３が複数個形成されており、各々のスロット１３の両内壁には図４に示すようにガイド溝１４が設けられている。一方、各アーム３には２箇所の突起１５が設けられており、突起１５をスロット１３のガイド溝１４で挟持することにより、アーム３はガイド溝１４の範囲内で、シャフト１の軸方向への水平移動および突起１５を支点とした回動運動が可能となっている。【００１７】  上記構成によるビット保持装置は、電動ドライバー１６のチャック１７にシャフト１の一端を装着することで電動ドライバー１６との連結が可能になる。【００１８】  次に本発明によるビット保持装置を用いて作業を行なう際の状況を説明する。
本発明によるビット保持装置を用いて作業を行なう場合、各アームに装着されたビットの中から用途に合ったものを選択し、該当するアームを図５に示すように引き出し、ビット装着口４方向に平行移動させ、突起１５がガイド溝１４の上端部に当接したところでアーム３を回動させ、ビット５をビット装着口４に合わせ、押し込むように移動させれば、必要とするビットをシャフト１に装着することが出来る。
そして電動ドライバー１６のスイッチ１８を引けば、電動ドライバー１６のチャック１７の回転がシャフト１を通してアーム３に装着されたビット５に伝達し、ビット５を回転させることになり、作業者は通常通りの使い勝手で締結・穴開け等の作業を行なうことが出来る。【００１９】  作業が終了し別のビットに交換する際には、スライダー８を下方に押し下げ、スライダー８に当接するレバー７を間接的に操作し、装着されていたビットを外してから、別のアームを選択し、先程と同様の手順で必要とするビットを装着すればよい。【００２０】  取り外したアームは装着時と逆の手順でスロットへ戻し、手で押圧すれば、はめ込みにより再びボディ２の定位置へ固定される仕組みとなっている。またスライダー８もひとたび手を離せば、レバー７の復帰動作に連動して、こちらは自動的に定位置に戻ることになる。【００２１】  ところで本発明によるビット保持装置を実際に使用した場合、ボディ２とシャフト１間の僅かな回転抵抗により、ビット５のみならずビット保持装置自身も、緩やかにではあるが連動して回転を開始する可能性が高い。【００２２】  本現象を防止するために本発明によるビット保持装置では、ボディ２の一部を延長し、電動ドライバー１６のハウジング面１９に当接させる構造としている。具体的には図６に示すように、別部材として構成したベース２０の端面Ａ２１を、プレート２４を介してネジでボディ２に固定し、反対側の端面Ｂ２２を電動ドライバー１６のハウジング面１９に当接させる構造としている。
この場合、ビット保持装置は電動ドライバー１６側に固定されているため、スイッチ１８を操作した場合には先端のビット５のみが回転することになり、上述した問題点は克服されている。【００２３】  更にベース２０は図７に示すように複数部品による構成となっており、両者間に図示しないスプリングを組み込み、両者を押圧した場合にある程度の反発力が作用するようになっているため、チャック１７からハウジング面１９までの距離が異なる他の電動ドライバーに対してもフレキシブルに装着が可能となっており、作業者の電動ドライバーの選択の幅を広げている。
【図面の簡単な説明】
【００２４】
【図１】本発明装置によるビット保持装置の一実施形態を示す斜視図および一部拡大図。
【図２】図１に示すビット保持装置の一部透視斜視図。
【図３】図１に示すビット保持装置の一部構成部品の断面図。
【図４】図１に示すビット保持装置の一部展開斜視図。
【図５】図１に示すビット保持装置の機構部動作イメージ斜視図。
【図６】図１に示すビット保持装置の一部展開斜視図。
【図７】図１に示すビット保持装置の一部構成部品の動作イメージ斜視図。
【図８】従来技術による電動ドライバーの一実施形態を示す斜視図および一部拡大図。
【符号の説明】
【００２５】  １はシャフト、２はボディ、３はアーム、４はビット装着口、５はビット、７はレバー、８はスライダー、１３はスロット、１４はガイド溝、１５は突起、１６は電動ドライバー、１７はチャック、１８はスイッチ、２０はベース、２３はスリーブである。
【図１】
2009291931.tif 000003
【図２】
2009291931.tif 000004
【図３】
2009291931.tif 000005
【図４】
2009291931.tif 000006
【図５】
2009291931.tif 000007
【図６】
2009291931.tif 000008
【図７】
2009291931.tif 000009
【図８】
2009291931.tif 000010